(57)【要約】液体透過性上部シート（３）、液体不透過性下部シート（２）及びそれらの間に封入された吸収体（４）を含む、おむつ及び失禁ガードの如き吸収物品であって、前記物品が前部分（５）、後部分（６）及びそれらの間の股部分（７）を有し、さらに１対のベルト部分（９）を与えられており、前記ベルト部分（９）が物品の前部分（５）あるいは後部分（６）と永続的に一体化され、かつ装着者の腰のまわりに一緒に固定されることを意図されており、ベルト部分（９）がパンツの腰部分の一部を形成して物品がパンツ状形状をとるような方法で、前記前部分（５）あるいは後部分（６）がベルト部分（９）に取付けられることを意図される第１のフックアンドループ型の固定手段（８）を与えられている吸収物品において、物品が少なくとも一つの第２のフックアンドループ型の固定手段（８′）を含み、その固定手段（８′）が物品の前部分（５）上の前記第１の固定手段（８）の内側に配置されていることを特徴とする吸収物品。【選択図】図１
2004508139.tif 000002
【特許請求の範囲】
【請求項１】
液体透過性上部シート（３）、液体不透過性下部シート（２）及びそれらの間に封入された吸収体（４）を含む、おむつ及び失禁ガードの如き吸収物品であって、前記物品が前部分（５）、後部分（６）及びそれらの間の股部分（７）を有し、さらに１対のベルト部分（９）を与えられており、前記ベルト部分（９）が物品の前部分（５）あるいは後部分（６）と永続的に一体化され、かつ装着者の腰のまわりに一緒に固定されることを意図されており、ベルト部分（９）がパンツの腰部分の一部を形成して物品がパンツ状形状をとるような方法で、前記前部分（５）あるいは後部分（６）がベルト部分（９）に取付けられることを意図される第１のフックアンドループ型の固定手段（８）を与えられている吸収物品において、物品が少なくとも一つの第２のフックアンドループ型の固定手段（８′）を含み、その固定手段（８′）が物品の前部分（５）上の前記第１の固定手段（８）の内側に配置されていることを特徴とする吸収物品。
【発明の詳細な説明】
【０００１】
技術分野
本発明は、液体透過性上部シート、液体不透過性下部シート及びそれらの間に封入された吸収体を含む、おむつ及び失禁ガードの如き吸収物品であって、前記物品が前部分、後部分及びそれらの間の股部分を有し、さらに１対のベルト部分を与えられており、前記ベルト部分が物品の前部分あるいは後部分と永続的に一体化され、かつ装着者の腰のまわりに一緒に固定されることを意図されており、ベルト部分がパンツの腰部分の一部を形成して物品がパンツ状形状をとるような方法で、前記前部分あるいは後部分がベルト部分に取付けられることを意図される取付手段を与えられている吸収物品に関する。
【０００２】
発明の背景
失禁症の大人のためのおむつ及び失禁ガードは使用者の体に対して吸収体を適所に保持する衣料部分及び使用者が動いているときでも衣料部分を適所に保持する取付手段を通常有する。一般的なタイプの取付手段は吸収物品の前及び後部分を互いに直接取り付ける接着テープ又はタッチアンドクローズ型のフックアンドループファスナーである。さらに例えばＥＰ−Ａ　０２８７３８８，ＥＰ−Ａ　０４０９３０７，ＥＰ−Ａ　０５２８２８２，ＥＰ−Ａ　０６０５０１２及びＦＲ−Ａ　２５８６５５８を通して、ベルトによって物品の前及び後部分を取り付け、それによって適合状態を調整する可能性が改良されることが知られている。ベルトは、特に患者が立ち上がっているときに、おむつ又は失禁ガードの単純化された変化をさらに与える。
【０００３】
一般的なタイプのベルトおむつでは、まずベルト部分は患者の腰のまわりに取り付けられ、次いでおむつの前部分はベルト及び前部分上にそれぞれ配置されるフックアンドループファスナーを使用してベルトの外側に取り付けられる。フックアンドループファスナー及びプラスチック下部シート材料を与えられたおむつに伴う一つの問題は、小さい人では前部分上のフックアンドループファスナーを有するタブがおむつの後部分上のプラスチック下部シートの全ての範囲に到達することである。フックアンドループファスナーはこのプラスチック材料に対して取り付けることができない。もしこの場合において前部分がどうにかこうにかベルトに取り付けられたとしても、これはおむつの弱い適合に導くだろう。
【０００４】
文献ＷＯ　９７／３１６０５はおむつの前部分に配置された対応する固定手段に対して取り付けられることを意図される端に固定手段を有する、拡張された側部分を持つおむつを開示する。異なる腰サイズに適応するために多数の固定手段が前部分上に配置されている。しかしながら、その文献に示されたおむつは、ベルト部分が装着者の腰のまわりに取り付けられ、その後おむつの前部分がベルト部分に対して取り付けられる、本発明によるベルトおむつではない。それゆえ、それはベルトおむつ、特にフックアンドループファスナーを有するおむつに対する増大した適合の問題を解決しない。
【０００５】
発明の概要
本発明の目的は改良された適合を示す、上に与えられた規定によるおむつ又は失禁ガードの如きベルトを与えられた吸収物品を達成することである。この目的は、おむつが物品の前部分上の前記第１固定手段の内側に配置されるフックアンドループファスナー型の少なくとも一つの第２固定手段を含むことで解決される。この第２固定手段はベルト部分に取り付け、それは小さな腰サイズを有する人にもおむつの良好な適合に導く。
【０００６】
図面の簡単な記述
本発明は以下において添付図面に示された例を参照してより詳細に記載されるだろう。
図１は本発明によるおむつ又は失禁ガードの透視図を概略的に示す。
【０００７】
発明の詳述
図面は液体不透過性下部シート２、液体透過性上部シート３及びそれらの間に封入された吸収体４を含む、おむつ又は失禁ガード１の一例を示す。液体透過性上部シート３は不織材料、例えば連続フィラメントのスパンボンド材料、メルトブロー材料、結合されカードされた繊維ウェブ又は有孔プラスチックフィルムからなることができる。液体不透過性下部シート２はプラスチックフィルム、液体不透過性材料で被覆された不織材料又は液体透過に抵抗する疎水性不織材料からなってもよい。本発明では、下部シート材料はプラスチックフィルムからなり、それはフックアンドループファスナーのための受容表面として機能できない。
【０００８】
上部シート３及び下部シート材料２は吸収体４より幾分大きな平面範囲を有し、その縁の外側に延びる。層２及び３は例えば接着又は熱もしくは超音波による溶接によってその突出部分内で互いに接続される。
【０００９】
吸収体４はいかなる従来の種類のものであることができる。一般的な吸収材料の例はセルロース毛羽パルプ、ティッシュ層、高吸収ポリマー（いわゆる超吸収材）、吸収フォーム材料、吸収不織材料などである。吸収体においてセルロース毛羽パルプを超吸収材と組み合わせることが一般的である。また、液体取得能力、液体分布能力及び貯蔵能力に関して異なる特性を有する異なる材料の層を含む吸収体を持つことも一般的である。それは当業者に良く知られており、それゆえ詳細に記載される必要はない。例えばベビー用おむつ及び失禁ガードにおいて一般的である薄い吸収体はセルロース毛羽パルプ及び超吸収材の圧縮された混合又は層状構造を含むことが多い。
【００１０】
おむつ／失禁ガードは吸収パンツのような装着者の胴体の下部を包囲することを意図される。それは使用中使用者の体の前部上に装着されることを意図される前部分５、使用中使用者の体の後部上に装着されることを意図される後部分６、及び脚の間で使用者の股部に装着されることを意図され前及び後部分の間に位置される狭い股部分７を含む。
【００１１】
一対のベルト部分９は一端をおむつの後部分６に取り付けられる（例えば接着又は超音波溶接される）。ベルト部分９は例えば対向するベルト部分の外側に対して取り付けられる固定手段１０によってそれらの対向する端を一緒に固定されることを意図される。固定手段はフックアンドループファスナー又はテープタブであってもよい。前部分５の取付テープ８はフックアンドループ型ファスナーの一部を含み、フック材料を有する表面を与えられる。ベルト部分９の外側部分はフック材料のための受容表面を含む。この受容表面、いわゆるループ部分は不織材料から構成されることが好ましい。前記固定手段８はおむつ／失禁ガードを所望のパンツ状形状に固定するためにベルト部分９の外側に対して取り付けられることを意図される。
【００１２】
別の例によれば、ベルト部分はおむつの前部分５に取り付けられ、従って装着者の後上に一緒に固定されることを意図される。固定手段８はそのときおむつの後部分６上に配置される。
【００１３】
ベルト部分９の幅は５〜２０ｃｍ、好ましくは７〜１５ｃｍであるべきである。
【００１４】
ベルト部分９はベルトの外側を形成するキャリア材料と、使用者の皮膚と直接接触することを意図されるベルトの内側を形成する柔らかい不織材料との積層体であることが好ましい。好適な不織材料は例えばポリプロピレン又はポリエチレン繊維のスパンボンド材料であることができる。複合繊維を使用してもよい。別の好適な不織材料は例えばポリプロピレン、ポリエステル又は複合繊維のカードされ熱結合された材料であることができる。また弾性積層体はベルト部分における材料として使用することが好適である。キャリア材料は取付手段８及び１０の両方のための受容表面として機能するように適応されるべきであり、それらの場合において取付手段はフックアンドループ型ファスナーであり、不織材料が好適である。
【００１５】
前記固定手段８はフック材料を有する表面からなる。フック材料表面、即ち固定手段８はベルトへの取り付けのために前部分の好適な位置上に配置される。この第１固定手段８の内側には第２固定手段８′が好適な距離で配置される。固定手段８及び８′は、前部分５の縁からある距離を突出するような方法で配置されることができるタブ上に配置されてもよい。製品が通常のサイズの人に適用されるとき、両固定手段はベルトに対する取り付けのために使用される。しかしながら、固定手段８がベルト部分９を越えて下部シート材料２までの全ての範囲に及ぶ小さな人では、第２固定手段８′だけがベルトへの取り付けのために使用される。なぜならば第１固定手段８は製品の後部分上のプラスチック材料に対して取り付けることができないからである。前部分は多数の第２固定手段８′を含んでもよい。
【００１６】
おむつは様々な人に対して適合性を保持しながらそのサイズに応じて適応させることができる。それは同じおむつサイズが増大した数の人に対して使用されるとき、例えば年配の人のために病院及び家庭で高いフレキシビリティに導く。
【００１７】
本発明はもちろん上記例に限定されず、特許請求の範囲内で変更されることができる。
【図面の簡単な説明】
【図１】
本発明によるおむつ又は失禁ガードの透視図を概略的に示す。
【図１】
2004508139.tif 000003
【国際公開パンフレット】
2004508139.tif 000004
2004508139.tif 000005
2004508139.tif 000006
2004508139.tif 000007
2004508139.tif 000008
2004508139.tif 000009
2004508139.tif 000010
2004508139.tif 000011
2004508139.tif 000012
【手続補正書】
【提出日】平成14年12月9日(2002.12.9)
【手続補正１】
【補正対象書類名】明細書
【補正対象項目名】特許請求の範囲
【補正方法】変更
【補正の内容】
【特許請求の範囲】
【請求項１】
液体透過性上部シート（３）、液体不透過性下部シート（２）及びそれらの間に封入された吸収体（４）を含む、おむつ及び失禁ガードの如き吸収物品であって、前記物品が前部分（５）、後部分（６）及びそれらの間の股部分（７）を有し、さらに１対のベルト部分（９）を与えられており、前記ベルト部分（９）が物品の前部分（５）あるいは後部分（６）と永続的に一体化され、かつ装着者の腰のまわりに一緒に固定されることを意図されており、ベルト部分（９）がパンツの腰部分の一部を形成して物品がパンツ状形状をとるような方法で、前記前部分（５）及び後部分（６）のいずれかがベルト部分（９）の外側表面に前部分（５）及び後部分（６）のいずれかを取付けるように適応される第１のフックアンドループファスナー（８）の部分を含む吸収物品において、少なくとも一つの第２フックアンドループファスナー要素（８′）が物品の前部分（５）及び後部分（６）のいずれかの上に第１のフックアンドループファスナー（８）の部分の内側に配置され、第１のフックアンドループファスナー（８）の部分と第２のフックアンドループファスナー要素（８′）の間にフックアンドループ材料を全く含まない空間があり、第２のフックアンドループファスナー要素（８′）がベルト部分（９）の外側表面に適応されていることを特徴とする吸収物品。
【請求項２】
前部分（５）及び後部分（６）のいずれかの上に含まれる第１のフックアンドループファスナー（８）の各部分が二つの別個のファスナー要素を含み、第２のフックアンドループファスナー要素（８′）が二つの別個のファスナー要素（８）の間に配置される請求項１に記載の吸収物品。
【請求項３】
前部分（５）及び後部分（６）のいずれか上の第１のフックアンドループファスナー（８）の内側に配置された二つの第２のフックアンドループファスナー要素（８′）がある請求項１に記載の吸収物品。
【請求項４】
二つの別個のファスナー要素（８）の間に配置された二つの第２のフックアンドループファスナー要素（８′）がある請求項２に記載の吸収物品。
【請求項５】
二つの別個のファスナー要素（８）及び二つの第２のフックアンドループファスナー要素（８′）が前部分（５）及び後部分（６）のいずれかの上に一列で配置される請求項４に記載の吸収物品。
【国際調査報告】
2004508139.tif 000013
2004508139.tif 000014
2004508139.tif 000015